(57)【要約】【課題】クロック調整を実施しない場合、または最適なクロック調整が実施されなかった場合においても、歪んだ（崩れた）映像を表示することなく、正しい映像を表示することが出来る映像表示装置を提供する。【解決手段】一水平走査線当りの輝度信号５２の取り込み長ＧＬと水平同期信号５１間の長さＨＬとの関係が、ＨＬ＜ＧＬとなった時点で、輝度信号５２の取り込みを強制終了させ、本来取り込みが行われるはずであった範囲については、黒色を出力する。また、水平同期信号５１の立ち下り５６を検出することによって、輝度信号５２の取り込みを開始し、水平同期信号５１の立ち上がり５７を検出することによって、輝度信号５２の取り込みを終了する。【選択図】図３
2009139621.tif 000002
【特許請求の範囲】
【請求項１】
機器の各部を統括して制御する制御部と、
外部機器から出力される映像信号を入力するための映像信号入力部と、
前記映像信号入力部に入力された映像信号に含まれる輝度信号をアナログ信号からデジタル信号に変換するＡ／Ｄ変換部と、
前記映像信号入力部に入力された映像信号に含まれる同期信号の検出を行う同期信号検出部と、
前記Ａ／Ｄ変換部にてデジタル信号に変換された輝度信号の出力先である映像表示部とを備えた映像機器において、
前記映像表示部に映像を正しく表示するための設定を行う映像表示設定部と、
前記映像表示設定部に設定内容を入力するための入力部とを設け、
前記映像表示設定部に設定された設定内容に基づいて前記映像表示部に映像を表示する際に、前記映像表示部の一水平走査線上において、輝度レベルの異なる前記輝度信号が混在する状態になると判断された場合は、前記制御部の制御により、後続する輝度信号の取り込みを中止することを特徴とする映像機器。
【請求項２】
請求項１に記載の映像機器において、
前記映像表示部の一水平走査線上において、輝度レベルの異なる前記輝度信号が混在する状態になると判断される場合の判断基準が、一水平走査線における前記輝度信号を取り込む長さが水平同期信号間の長さを上回る場合であることを特徴とする映像機器。
【請求項３】
請求項１に記載の映像機器において、
前記映像表示部の一水平走査線上において、輝度レベルの異なる前記輝度信号が混在する状態になると判断される場合の判断基準が、一水平走査線における前記輝度信号を取り込む期間が、水平同期信号の立ち下りから立ち上がりまでの期間を超える場合であることを特徴とする映像機器。
【請求項４】
請求項１に記載の映像機器において、
前記輝度信号の取り込みが中止された場合、取り込みが中止された走査線上において、輝度信号が出力されない範囲を黒色表示とすることを特徴とする映像機器。
【発明の詳細な説明】
【技術分野】
【０００１】
本発明は、歪みのない（崩れていない）映像を表示する映像機器に関する。
【背景技術】
【０００２】
従来、液晶ディスプレイ等の映像表示部を設けた映像機器の多くは、複数の解像度に対応出来る仕様となっている。
映像表示部の解像度としては、６４０×４８０ドット（ＶＧＡ：Video Graphics Array）、８００×６００ドット（ＳＶＧＡ：Super-VGA）、１０２４×７６８ドット（ＸＧＡ：eXtended Graphics Array）、１２８０×１０２４ドット（ＳＸＧＡ：Super-XGA）等の規格がある。
【０００３】
映像表示部にて正しく映像を表示させるための調整項目としては、水平位置・垂直位置・クロック・フェーズの４つの調整項目が知られており、映像機器には、解像度に応じた水平位置、垂直位置、クロック、フェーズを設定した映像表示設定部が設けられている。
このため、ＰＣ（Personal  Computer）等の外部機器から出力され、映像機器に入力された映像信号は、映像表示設定部の設定内容に基づいて調整され、アナログ映像信号からデジタル映像信号に変換される。そして、変換されたデジタル映像信号により、映像表示部に所定の映像が表示される。
【０００４】
しかしながら、上述した映像表示設定部の設定内容に基づく調整だけでは、映像が正しく表示されない映像信号も存在する。これは、映像信号の出力元である外部機器の仕様等に起因するものであって、この場合は、ユーザー自身によって、上述した４つの調整項目について調整を行わなければならない。
【０００５】
特に、映像が歪んだ（崩れた）状態で表示された場合は、上述した４つの調整項目のうち、クロックについて調整を行わなければならない。ここで、クロック調整とは、映像信号（輝度信号）を取り込む際の取り込み間隔（以下、ドット間隔と記載）を調整するものであり、この調整において、ドットの間隔を広げすぎてしまった場合は、取り込む必要の無い、次の走査線の映像信号の一部または全部を取り込んでしまう。その結果、全体として歪んだ（崩れた）映像が映像表示部に表示されることとなり、正しい映像を表示することが出来ない。
【０００６】
下記の特許文献１には、複数の画像を１つの表示部に表示させる場合において、メモリの容量を拡大することなく、画像処理の高速化を図ることが出来る画像表示装置が記載されている。
また、特許文献２には、水平方向の有効画素期間を、予め決められた画像データ数でサンプルすることにより拡大し、ディスプレイの表示領域の大きさに合わせた画像表示を行う表示制御装置が記載されている。
さらに、特許文献３には、未知の解像度のアナログ信号を入力した場合においても、有効画素数取得プログラムを実行することにより、外部機器から当該アナログ信号の有効画素数を取得し、画面表示を行う画像表示装置が記載されている。
しかしながら、これらの文献のいずれにも、上述したような、ドット間隔を広げ過ぎた場合の不要信号の取り込みによる映像の歪みを防止するための有効な方策については開示が無い。
【０００７】
【特許文献１】特開平１１−１５４５４号公報
【特許文献２】特開平８−２９７４７７号公報
【特許文献３】特開２００６−１７８１１４号公報
【発明の開示】
【発明が解決しようとする課題】
【０００８】
本発明の目的は、クロック調整を実施しない場合、または最適なクロック調整が実施されなかった場合においても、歪んだ（崩れた）映像を表示することなく、正しい映像を表示することが出来る映像表示装置を提供することにある。
【課題を解決するための手段】
【０００９】
本発明に係る映像機器は、機器の各部を統括して制御する制御部と、外部機器から出力される映像信号を入力するための映像信号入力部と、映像信号入力部に入力された映像信号に含まれる輝度信号をアナログ信号からデジタル信号に変換するＡ／Ｄ変換部と、映像信号入力部に入力された映像信号に含まれる同期信号の検出を行う同期信号検出部と、Ａ／Ｄ変換部にてデジタル信号に変換された輝度信号の出力先である映像表示部とを備えており、映像表示部に映像を正しく表示するための設定を行う映像表示設定部と、映像表示設定部に設定内容を入力するための入力部とを設けている。
そして、映像表示設定部に設定された設定内容に基づいて映像表示部に映像を表示する際に、映像表示部の一水平走査線上において、輝度レベルの異なる輝度信号が混在する状態になると判断された場合は、制御部の制御により、後続する輝度信号の取り込みを中止する。
【００１０】
このようにすることで、一水平走査線について、輝度信号の取り込みが終了するまでの間に、次の走査線の輝度信号が取り込まれることは無く、一水平走査線毎に輝度レベルの高い信号と低い信号が交互に出力された映像、つまり歪みのない（崩れていない）映像を映像表示部に出力することが出来るため、正しい映像を表示することが出来る。
【００１１】
本発明の映像機器において、映像表示部の一水平走査線上において、輝度レベルの異なる輝度信号が混在する状態になると判断される場合の判断基準は、例えば、一水平走査線における輝度信号を取り込む長さが水平同期信号間の長さを上回る場合である。
【００１２】
このようにすることで、輝度レベルが同じである輝度信号を一水平走査線上に出力することが出来るため、歪みのない（崩れていない）映像を映像表示部に出力することができ、正しい映像を表示することが出来る。
【００１３】
また、本発明の映像機器において、映像表示部の一水平走査線上において、輝度レベルの異なる輝度信号が混在する状態になると判断される場合の判断基準は、一水平走査線における輝度信号を取り込み期間が、水平同期信号の立ち下りから立ち上がりまでの期間を超える場合であってもよい。
【００１４】
水平同期信号の立ち下りから立ち上がりの期間において、輝度信号の輝度レベルは同じであるため、上記のようにすることで、輝度レベルが同じである輝度信号を一水平走査線上に容易に出力することが出来る。これにより、歪みのない（崩れていない）映像を映像表示部に出力することができ、正しい映像を表示することが出来る。
【００１５】
また、本発明の映像機器において、制御部の制御による輝度信号の取り込みが中止された場合、取り込みが中止された走査線上において、輝度信号が出力されない範囲を黒色表示とすることが好ましい。
【００１６】
このようにすることで、輝度信号が出力されない範囲についても黒色表示を行うため、映像表示部全体の表示状態が損なわれない、正しい映像を表示することが出来る。
【発明の効果】
【００１７】
本発明によれば、映像表示設定部に設定された設定内容に基づいて映像表示部に映像を表示する際に、映像表示部の一水平走査線上において、輝度レベルの異なる輝度信号が混在する状態になると判断された場合は、後続する輝度信号の取り込みを中止するため、クロック調整を実施しない場合、または最適なクロック調整が実施されなかった場合においても、歪んだ（崩れた）映像を表示することなく、正しい映像を表示することが出来る。
【発明を実施するための最良の形態】
【００１８】
以下、本発明の実施形態につき、図面を参照しながら説明する。
【００１９】
図１は、本発明の実施形態である液晶テレビ１００と、この液晶テレビ１００に接続された外部機器２００を示した構成図である。
図中の液晶テレビ１００には、ＬＣＤ（Liquid  Crystal  Display）から成る映像表示部１１が設けられている。映像表示部１１の解像度はｍ×ｎドット（ｍ＞ｎ）であり、映像表示部１１の水平方向Ｈの１ライン１１ａにｍ個のドット１２が配され、映像表示部１１の垂直方向Ｖの１ライン１１ｂにｎ個のドット１２が配されている。
また、液晶テレビ１００には、ＶＧＡ（Video  Graphics  Array）入力端子から成る映像信号入力部２８（図２に記載）が設けられている。
【００２０】
外部機器２００はＰＣ（Personal  Computer）であり、外部機器２００には、ＶＧＡ出力端子から成る映像信号出力部（図省略）が設けられている。
液晶テレビ１００に設けられた映像信号入力部２８と、外部機器２００に設けられた映像信号出力部（図省略）とを、ＶＧＡケーブルから成るケーブル３００で接続することにより、外部機器２００から液晶テレビ１００へ映像信号を出力することが出来る。
【００２１】
図２は、本発明の実施形態である液晶テレビ１００のブロック図である。
図中の制御部２１はＣＰＵ（Central  Processing  Unit）から成り、液晶テレビ１００の各部を統括して制御する。
２２はテレビジョン放送の放送電波を受信するアンテナであり、２３はアンテナ２２で受信した放送電波に含まれる放送信号を受信するための放送信号受信部である。放送信号受信部２３で受信された放送信号に含まれる映像信号は、放送信号受信部２３にて復調された後、制御部２１を介して映像表示部１１へ出力される。これにより、映像表示部１１においてテレビジョン放送の映像が表示される。尚、放送信号に含まれるその他の信号の処理方法については、本発明には関係しないため、説明を省略する。
【００２２】
映像表示設定部２４には、解像度に応じた水平位置、垂直位置、クロック、フェーズが設定されている。設定される解像度の種類は、液晶テレビ１００などの映像機器の仕様によりそれぞれ異なる。尚、映像表示設定部２４に設定された水平位置、垂直位置、クロック、フェーズの内、クロック以外については、本発明に関係しないため、以下、説明を省略する。
【００２３】
映像信号入力部２８に入力された映像信号に含まれる輝度信号は、映像表示設定部２４の設定内容に基づき、Ａ／Ｄ変換部２５にて、アナログ信号からデジタル信号へ変換される。
また、映像信号入力部２８に入力された映像信号に含まれる同期信号に対しては、同期信号検出部２６による検出が行われ、垂直同期信号および水平同期信号が検出される。
Ａ／Ｄ変換部２５にてデジタル信号に変換された輝度信号は、同期信号検出部２６による検出結果に基づき、制御部２１を介して映像表示部１１へ出力される。これにより、映像表示部１１において、外部機器２００（図１）から出力された映像信号による映像が表示される。
【００２４】
入力部２７は、リモートコントロール装置（図示省略）からの信号を受信する受光部（図示省略）や液晶テレビ１００のフロントパネル（図示省略）などに設けられたボタン操作部（図示省略）から成る。ユーザー自身が映像表示設定部２４に設定された設定内容を変更する場合は、入力部２７を操作することによって設定変更を行うことが出来る。
【００２５】
図３は上述した輝度信号の取り込み方法を示した図である。
図中の５１は同期信号検出部２６（図２）にて検出される水平同期信号である。
５２はＡ／Ｄ変換部２５（図２）にてデジタル信号に変換された輝度信号であり、輝度レベルの高い信号と低い信号が交互に出現する。
【００２６】
５３〜５５は、一水平走査線毎の輝度信号の取り込み状態を示したものであり、映像表示設定部２４（図２）の設定内容に基づき、制御部２１（図２）による制御の下、輝度信号５２に対する取り込みが行われる。
ここで、映像表示部１１（図２）の解像度はｍ×ｎドット（ｍ＞ｎ）であるため、一水平走査線（図１で水平方向Ｈの１ライン１１ａ）毎に輝度信号の取り込み回数はｍ回となり、従来においては、一走査線１１ａ毎の輝度信号５２の取り込み回数が、上述のｍ回を満たすまで、輝度信号５２の取り込みが行われる。
【００２７】
取り込み状態５３においては、映像表示設定部２４（図２）に設定されているクロック、つまり輝度信号５２を取り込むための取り込み間隔であるドット間隔はＣ０である。このため、一水平走査線当りの輝度信号の取り込み長ＧＬはｍ×Ｃ０で表すことが出来る。
【００２８】
取り込み状態５４においては、映像表示設定部２４（図２）に設定されているクロック、つまり輝度信号を取り込むための取り込み間隔であるドット間隔はＣ１である。このため、一水平走査線当りの輝度信号の取り込み長ＧＬはｍ×Ｃ１で表すことが出来る。
【００２９】
取り込み状態５５においては、映像表示設定部２４（図２）に設定されているクロック、つまり輝度信号を取り込むための取り込み間隔であるドット間隔はＣ２である。このため、一水平走査線当りの輝度信号の取り込み長ＧＬはｍ×Ｃ２で表すことが出来る。
【００３０】
ここで、水平同期信号５１の立ち上がりから立ち上がり、または立ち下りから立ち下りまでの時間間隔は、水平同期信号５１の周波数を同期信号検出部２６（図２）にて検出することにより算出出来る。そして、水平同期信号５１の時間間隔の算出結果に基づき、水平同期信号５１間の長さＨＬを算出することが出来る。
これにより、映像表示部１１（図２）に歪んだ（崩れた）映像が表示される条件は、ＨＬ＜ＧＬとなる場合である。
【００３１】
取り込み状態５３の場合においては、ｍＣ０＜ＨＬとなり、ＨＬ＜ＧＬの条件を満たさないため、図４の５６に示すように、一水平走査線１１ａ毎に輝度レベルの高い信号（白色）と低い信号（灰色）が交互に出力された映像、つまり歪みのない（崩れていない）映像が映像表示部１１（図２）に出力される。
【００３２】
取り込み状態５４の場合においては、ｍＣ１＞ＨＬとなり、ＨＬ＜ＧＬの条件を満たすこととなる。
これは、映像表示設定部２４（図２）に設定されているクロックが最適でない、つまり輝度信号を取り込むためのドット間隔が広がり過ぎているために、輝度信号の輝度レベルが同一レベルである間に、輝度信号の取り込みが終了しないことに起因する。
よって、輝度信号の取り込み終了までの間に、取り込み不要な（輝度レベルが異なる）後続の輝度信号の取り込みが行われ、輝度レベルの高い信号と低い信号が一水平走査線１１ａ上に混在することとなる。
これにより、図４の５７ａに示すように、一水平走査線１１ａ上に輝度レベルの高い信号（白色）と低い信号（灰色）が混在した状態で出力された映像、つまり歪み（崩れ）のある映像が映像表示部１１（図２）に出力される。
【００３３】
取り込み状態５５の場合においては、ｍＣ２＞ＨＬとなり、ＨＬ＜ＧＬの条件を満たすこととなる。
これも、上述の取り込み状態５４と同様に、映像表示設定部２４（図２）に設定されているクロックが最適でない、つまり輝度信号を取り込むためのドット間隔が広がり過ぎているために、輝度信号の輝度レベルが同一レベルの間に、輝度信号の取り込みが終了しないことに起因する。
よって、輝度信号の取り込み終了までの間に、取り込み不要な（輝度レベルが異なる）後続の輝度信号の取り込みが行われ、輝度レベルの高い信号と低い信号が一水平走査線１１ａ上に混在することとなる。
これにより、図４の５８ａに示すように、一水平走査線上に輝度レベルの高い信号（白色）と低い信号（灰色）が混在した状態で出力された映像、つまり歪み（崩れ）のある映像が映像表示部１１（図２）に出力される。
【００３４】
以下、取り込み状態５４および取り込み状態５５の場合を例に挙げ、映像表示部１１（図２）に歪んだ（崩れた）映像が表示されることを防止するための方法を述べる。
【００３５】
上述したように、映像表示部１１（図２）に歪んだ（崩れた）映像が表示される条件は、ＨＬ＜ＧＬとなる場合である。
よって、この条件が満たされるのを防止するために、ＨＬ＜ＧＬとなった時点で、輝度信号５２の取り込みを制御部２１（図２）の制御によって強制終了させ、本来取り込みが行われるはずであった範囲については、制御部２１（図２）の制御により、黒色を出力する（方法１）。
【００３６】
また、水平同期信号５１の立ち下り５６から立ち上がり５７までの期間ＤＵは、輝度信号５２の輝度レベルは同じであるため、水平同期信号５１の立ち下り５６および立ち上がり５７を同期信号検出部２６（図２）で検出し、立ち下り５６の検出結果に基づいて輝度信号５２の取り込みを開始し、立ち上がり５７の検出結果に基づいて輝度信号５２の取り込みを終了する。つまり、ＤＵ＜ＧＬとなった時点で、輝度信号５２の取り込みを終了する。本来取り込みが行われるはずであった範囲については、上述の方法１と同様、制御部２１（図２）の制御により、黒色を出力する（方法２）。
【００３７】
上述した方法１、方法２の一方または両方の方法により、映像表示部１１に歪んだ（崩れた）映像が表示されることを防止することが出来る。
【００３８】
上述した方法１および方法２により、取り込み状態５４および取り込み状態５５は、以下のように改善される。
まず、取り込み状態５４において、方法１により、取り込み回数がｍ回からｘ回に削減される。これにより、一水平走査線当りの輝度信号の取り込み長ＧＬはｍＣ１からｘＣ１（ｍＣ１＞ｘＣ１）となる。よって、ＨＬ＞ｘＣ１となり、ＨＬ＜ＧＬの条件を満たさないため、映像表示部１１に歪んだ（崩れた）映像が表示されることはない。また、取り込みが未完了な範囲（ｍ−ｘ）Ｃ１については、制御部２１（図２）の制御により、黒色が出力される。
【００３９】
方法２では、一水平走査線当りの輝度信号の取り込み長ＧＬが、水平同期信号５１の立ち下り５６から立ち上がり５７までの期間ＤＵを超える時点、つまりＤＵ＜ＧＬとなった時点で、輝度信号５２の取り込みを終了させる。これにより、映像表示部１１に歪んだ（崩れた）映像が表示されることはない。また、取り込みが未完了な範囲Ｐ（図３）については、制御部２１（図２）の制御により、黒色が出力される。
【００４０】
上述した方法１または方法２の結果、映像表示部１１（図２）に表示される映像は、図４の５７ｂに示すように、全ての水平走査線１１ａ上において輝度信号の取り込み開始位置Ａが一致し、かつ輝度信号の取り込みが未完了な範囲Ｂについては黒色の映像が表示される。
これにより、一水平走査線１１ａ毎に輝度レベルの高い信号（白色）と低い信号（灰色）が交互に出力された映像、つまり歪みのない（崩れていない）映像が映像表示部１１（図２）に出力される。
【００４１】
取り込み状態５５についても、上述の取り込み状態５４と同様、方法１により取り込み回数がｍ回からｙ回に削減される。これにより、一水平走査線当りの輝度信号の取り込み長ＧＬはｍＣ１からｙＣ１（ｍＣ１＞ｙＣ１）となる。よって、ＨＬ＞ｙＣ１となり、ＨＬ＜ＧＬの条件を満たさないため、映像表示部１１に歪んだ（崩れた）映像が表示されることはない。また、取り込みが未完了な範囲（ｍ−ｙ）Ｃ１については、制御部２１（図２）の制御により、黒色が出力される。
【００４２】
方法２では、一水平走査線当りの輝度信号の取り込み長ＧＬが、水平同期信号５１の立ち下り５６から立ち上がり５７までの期間ＤＵを超える時点、つまりＤＵ＜ＧＬとなった時点で、輝度信号５２の取り込みを終了させる。これにより、映像表示部１１に歪んだ（崩れた）映像が表示されることはない。また、取り込みが未完了な範囲Ｑ（図３）については、制御部２１（図２）の制御により、黒色が出力される。
【００４３】
上述した方法１または方法２の結果、映像表示部１１（図２）に表示される映像は、図４の５８ｂに示すように、全ての水平走査線１１ａ上において輝度信号の取り込み開始位置Ａが一致し、かつ輝度信号の取り込みが未完了な範囲Ｂについては黒色の映像が表示される。
これにより、一水平走査線１１ａ毎に輝度レベルの高い信号（白色）と低い信号（灰色）が交互に出力された映像、つまり歪みのない（崩れていない）映像が映像表示部１１（図２）に出力される。
【００４４】
このように、上述した実施形態においては、映像表示部１１に歪んだ（崩れた）映像が表示されることを防止するために、映像表示部２４に設定された設定内容に関わらず、輝度信号５２の取り込みに関する調整を行う。
調整方法については、一水平走査線１１ａ当りの輝度信号の取り込み長ＧＬと水平同期信号５１間の長さＨＬとの関係において、ＨＬ＜ＧＬとなった時点で、輝度信号５２の取り込みを制御部２１の制御によって強制終了させ、本来取り込みが行われるはずであった範囲については、制御部２１の制御により、黒色を出力する。また、水平同期信号５１の立ち下り５６および立ち上がり５７を同期信号検出部２６で検出し、立ち下り５６の検出結果に基づいて輝度信号５２の取り込みを開始し、立ち上がり５７の検出結果に基づいて輝度信号５２の取り込みを終了する。
【００４５】
その結果、映像表示部１１に表示される映像は、全ての水平走査線上において輝度信号の取り込み開始位置が一致し、かつ輝度信号の取り込みが未完了な範囲については黒色の映像が表示される。
これにより、映像表示設定部２４におけるクロック調整を実施しない場合、または最適なクロック調整が実施されなかった場合においても、一水平走査線毎に輝度レベルの高い信号と低い信号が交互に出力された映像、つまり歪みのない（崩れていない）映像を映像表示部１１に出力することが出来る。
【００４６】
本発明では、以上述べた以外にも種々の実施形態を採用することができる。例えば、上記実施形態では、映像表示部１１をｍ×ｎドット（ｍ＞ｎ）の解像度を有するＬＣＤとしたが、解像度をｍ×ｎドット（ｍ＞ｎ）で表現出来るもの、例えば、有機ＥＬ（Electroluminescence）ディスプレイのようなものでもよい。
【００４７】
また、上記実施形態では、映像機器を液晶テレビ１００としたが、放送信号受信部２３を備えない単なるモニタでもよい。
【００４８】
さらに、上記実施形態では外部機器２００をＰＣとしたが、映像信号の出力が可能な外部機器であれば、デジタルカメラのようなものでもよい。
【図面の簡単な説明】
【００４９】
【図１】液晶テレビと外部機器の構成を示した図である
【図２】本発明の実施形態である液晶テレビのブロック図である。
【図３】本発明における輝度信号の取り込み状態を示した図である。
【図４】映像表示部における映像の表示状態を示した図である。
【符号の説明】
【００５０】
１１    映像表示部
１１ａ  一水平走査線
２１    制御部
２４    映像表示設定部
２５    Ａ／Ｄ変換部
２６    同期信号検出部
２７    入力部
２８    映像信号入力部
５１    水平同期信号
５２    輝度信号
１００  液晶テレビ
２００  外部機器
【図１】
2009139621.tif 000003
【図２】
2009139621.tif 000004
【図３】
2009139621.tif 000005
【図４】
2009139621.tif 000006